(57)【特許請求の範囲】
【請求項１】
レンズを収容し、収容した前記レンズを、レンズ中心が光軸上に位置するように保持する円筒状のレンズホルダと、
前記レンズホルダの前記光軸と直交する方向の位置を設定する矩形孔である底面基準位置設定部を有し、前記レンズホルダを支持するレンズ固定ベースと、
前記レンズ固定ベースに組み付けられ、前記底面基準位置設定部に前記レンズホルダが挿入された状態で、前記光軸と直交する方向から前記レンズ固定ベースに前記レンズホルダを押しつける板ばね状の第一のレンズホルダ押さえと、前記光軸に沿う方向から前記レンズホルダを押しつける押圧力を発生させる板ばね状の第二のレンズホルダ押さえと、を有するレンズ固定部材と、
前記レンズ固定ベースに装着され、前記レンズ固定部材の主要部が延びる平面に対して非平行である傾き部を有する位置調整部材と、前記位置調整部材に対して締めつけ量を変化可能に装着された調整ねじとを有し、前記調整ねじの締めつけ量を変化することで、前記位置調整部材の前記傾き部の角度を変化させ、前記第二のレンズホルダ押さえの押圧力で前記位置調整部材に押しつけられる前記レンズホルダを、光軸方向に変位させる倍率基準位置調整部と
を具備するレンズ固定装置。
【発明の詳細な説明】
【技術分野】
【０００１】
本発明の実施形態は、読み取り対象物が含む情報を電気信号に変換する画像読取装置のレンズ固定装置に関する。
【背景技術】
【０００２】
画像読取装置は、読み取り対象物すなわち原稿に照明光を照射し、原稿で反射した照明光をＣＣＤ（Charge Coupled Device）あるいはＣＭＯＳ（Complementary metal-oxide Semiconductor）等の固体撮像素子に導いて原稿（読み取り対象物）の画像情報を電気的に読み取り、画像信号を得る。
【０００３】
画像読取装置は、固体撮像素子の前段に、原稿を照明する光源、原稿で反射した照明光である画像光を、固体撮像素子の受光面に集光するレンズ等を含む。
【０００４】
レンズは、固体撮像素子の受光面に対して所定の距離すなわちレンズの焦点位置が固体撮像素子の受光面と一致し、かつ倍率が所定の範囲内となるよう、例えば取付板金（固定ベース）の所定位置に位置する。
【先行技術文献】
【特許文献】
【０００５】
【特許文献１】特開平５−１９１５７０号公報
【発明の概要】
【発明が解決しようとする課題】
【０００６】
レンズは、光軸に沿って入射する画像光及び（レンズを通り）固体撮像素子の受光面に向かって光軸上を進む画像光をさえぎることのないよう、光軸と直交する方向から、固定ベースに固定する。
【０００７】
このため、レンズを焦点位置が固体撮像素子の受光面と一致するよう固定する作業は、（組み立て）作業者の技量が支配的である。
【０００８】
また、倍率を所定の範囲内とするレンズの位置決めは、レンズの光軸の移動を伴うことから、（組み立て）作業者に、一層の技量を要求する。
【０００９】
本発明の目的は、画像読取装置において、レンズの焦点位置が固体撮像素子の受光面と一致し、かつ倍率が所定の範囲内となる位置に、レンズを固定することである。
【課題を解決するための手段】
【００１０】
実施形態において、画像読取装置のレンズ固定装置は、円筒状のレンズホルダと、レンズ固定ベースと、レンズ固定部材と、倍率基準位置調整部とを具備する。レンズホルダは、レンズを収容し、収容した前記レンズを、レンズ中心が光軸上に位置するように保持する。レンズ固定ベースは、前記レンズホルダの前記光軸と直交する方向の位置を設定する矩形孔である底面基準位置設定部を有し、前記レンズホルダを支持する。レンズ固定部材は、板ばね状の第一のレンズホルダ押さえと、板ばね状の第二のレンズホルダ押さえと、を有する。第一のレンズホルダ押さえは、前記レンズ固定ベースに組み付けられ、前記底面基準位置設定部に前記レンズホルダが挿入された状態で、前記光軸と直交する方向から前記レンズ固定ベースに前記レンズホルダを押しつける。第二のレンズホルダ押さえは、前記光軸に沿う方向から前記レンズホルダを押しつける押圧力を発生させる。倍率基準位置調整部は、位置調整部材と、調整ねじとを有する。位置調整部材は、前記レンズ固定ベースに装着され、前記レンズ固定部材の主要部が延びる平面に対して非平行である傾き部を有する。調整ねじは、前記位置調整部材に対して締めつけ量を変化可能に装着されている。そして、前記調整ねじの締めつけ量を変化することで、前記位置調整部材の前記傾き部の角度を変化させ、前記第二のレンズホルダ押さえの押圧力で前記位置調整部材に押しつけられる前記レンズホルダを、光軸方向に変位させる。
【図面の簡単な説明】
【００１１】
【図１】実施形態の画像読取装置の一例を示す。
【図２】実施形態の画像読取装置におけるレンズ固定部の一例を示す。
【図３】実施形態の画像読取装置におけるレンズ固定部(固定部材)の一例を示す。
【図４】実施形態の画像読取装置におけるレンズ固定部の一例を示す。
【発明を実施するための形態】
【００１２】
以下、実施の形態について図面を参照して説明する。
【００１３】
画像読取装置１は、図１に一例を示す通り、ハウジング１１、テーブル部１２及び固体撮像素子１３を、少なくとも含む。
【００１４】
画像読取装置１は、読み取り対象物（以下対象物と称する）Ｏがシート状である場合、任意数の対象物を支持し、対象物Ｏの所定の面の画像情報の読み取りと対象物Ｏの表裏の反転及び対象物Ｏの入れ替えを自動的に行う自動原稿搬送装置（ＡＤＦ，Automatically Document Feeder）３が付属することを許容する。
【００１５】
ハウジング１１内の所定位置に、照明ユニット１４、結像レンズ１５及び画像処理回路部１６が位置する。結像レンズ１５は、ハウジング１１の所定の位置に位置する取付板金（レンズ固定ベース）１７が、固体撮像素子１３は、例えばＣＣＤ（Charge Coupled Device）あるいはＣＭＯＳ（Complementary metal-oxide Semiconductor）等と一体的に保持する。
【００１６】
上述の画像読取装置１において、テーブル部１２は、光を透過する透明かつ一定の温度に耐えるガラス板等である。固体撮像素子１３は、照明ユニット１４による照明光が対象物Ｏで反射した画像光に対応する画像信号を生成する。照明ユニット１４は、テーブル部１２に位置する対象物Ｏに照明光を照射するもので、例えばテーブル部１２の対象物支持側面に対して反対側の面と平行に、テーブル部１２に沿って移動可能に、位置する。ただし、画像読取装置１に上述のＡＤＦ３が付属し、ＡＤＦ３が搬送するシート状の対象物Ｏを照明する場合であって、テーブル部１２がシートスルー方式の画像情報の読み取りに対応する場合、照明ユニット１４は、所定位置にとどまる（移動しない）。
【００１７】
結像レンズ１５は、固体撮像素子１３の受光面に対して所定の距離すなわち結像レンズ１５の焦点位置が固体撮像素子１３の受光面と一致（結像レンズ１５に固有の焦点距離となる位置に固体撮像素子１３の受光面が位置）し、かつ倍率が所定の倍率となるように、レンズ固定ベース（取付板金）１７の所定位置に位置する。
【００１８】
画像処理回路部１６は、固体撮像素子１３が生成する画像信号を、画像形成部あるいは記憶媒体等が処理可能な規格（フォーマット）の画像データに変換して、例えば画像形成装置（プリンタ）や画像表示装置（再生装置）、等に出力する。
【００１９】
図２は、レンズ固定ベース（取付板金）１７と結像レンズ１５との位置関係を示す。
【００２０】
結像レンズ１５は、レンズホルダ１５０内の所定位置に、所定枚数のレンズを固定したものである。なお、多くの場合、結像レンズ１５は、レンズホルダ１５０と一体であり、レンズ単体を取り扱うことは少ないため、レンズホルダ１５０内に結像レンズ１５を固定した状態を結像レンズ１５と称することがある。レンズホルダ１５０は、レンズ固定部材１７０により、レンズ固定ベース１７の所定位置に位置する。
【００２１】
レンズ固定ベース１７は、レンズホルダ１５０を案内する（レンズホルダ１５０の位置を規定する）底面基準位置（切り欠き／矩形孔）部１７ａを有する。レンズ固定ベース１７の所定の位置には、固体撮像素子１３を保持する固体撮像素子保持部１３０が位置する。固体撮像素子保持部１３０は、レンズ固定ベース１７が保持するレンズホルダ１５０に対して、例えば平行度（取得する画像情報の左右の倍率の変動）の調整が可能に固体撮像素子１３を保持する。
【００２２】
レンズ固定部材１７０は、レンズ固定ベース１７の上述底面基準位置部１７ａにレンズホルダ１５０を押しつける矢印Ａ方向の力、及び図３(ａ)を用いて後段に説明するレンズ固定部材１７０が一体的に有する倍率基準位置１７１ａに向けて矢印Ｂ方向の力をレンズホルダ１５０に与える。すなわち、レンズ固定部材１７０は、例えば１枚の板を折り曲げる等の手法により形成されるレンズホルダ押さえ１７０ａ及びレンズホルダ押さえ１７０ｂを、一体に有する。従って、レンズ固定部材１７０からの矢印Ｂ方向の力によりレンズホルダ１５０の照明ユニット１４側の端部（倍率調整面）１５０ａが倍率基準位置１７１ａと接する。また、矢印Ａ方向の力によりレンズホルダ１５０の円筒部の任意の概ね直線の２箇所が底面基準位置部１７ａと接する。
【００２３】
倍率基準位置１７１ａは、図３(ａ)に示す通り、レンズ固定部材１７０と独立した位置調整部材１７１が角度変化を提供することで規定される。従って、位置調整部材１７１の角度変化により、結像レンズ１５（レンズホルダ１５０）を、光軸方向に、変位（移動）可能である。光軸は、結像レンズ１５の概ね中心を通り、固体撮像素子１３の概ね中央（中心）と照明ユニット１４の長手方向の概ね中央とを結ぶ線分であり、設計光軸と呼ばれることもある。
【００２４】
レンズ固定部材１７０は、図３(ａ)に示す通り、レンズホルダ押さえ１７０ａからの上述の矢印Ａ方向の力により、レンズ固定ベース１７の底面基準位置部１７ａ（図３(ｂ)参照）にレンズホルダ１５０（結像レンズ１５）を押しつける。なお、レンズ固定部材１７０は、ストッパ１７０ｄを有し、ストッパ１７０ｄからレンズ固定ベース１７に、レンズホルダ押さえ１７０ａからの上述の矢印Ａ方向の力と逆向きの力を与える。これにより、レンズ固定部材１７０がレンズ固定ベース１７から分離する（外れる）ことを防止する。すなわち、ストッパ１７０ｄは、レンズ固定ベース１７とレンズ固定部材１７０との間にレンズホルダ押さえ１７０ａからの上述の矢印Ａ方向の力の効力を一定以上確保できる。
【００２５】
従って、レンズホルダ押さえ１７０ａからの力及びストッパ１７０ｄの作用により、レンズホルダ１５０は、底面基準位置部１７ａ上の光軸方向の所定位置に、作業者の特別な技量（力量）を必要とすることなく、位置する。従って、作業者は、レンズ固定ベース１７にレンズ固定部材１７０を固定するための、固定ねじ１７ｂを締めつけることを実行すればよい。
【００２６】
レンズ固定部材１７０は、図３(ａ)に示す通り、レンズホルダ押さえ１７０ｂからの上述の矢印Ｂ方向の力により、レンズホルダ１５０（結像レンズ１５）を、倍率基準位置１７１ａに押しつける。このとき、レンズホルダ１５０は、上述の底面基準位置部１７ａ上の光軸方向の所定位置に位置することから、倍率基準位置１７１ａに押しつけられ、固体撮像素子１３の受光面に対して所定の距離すなわち結像レンズ１５の焦点位置が固体撮像素子１３の受光面と一致（結像レンズ１５に固有の焦点距離となる位置に固体撮像素子１３の受光面が位置）する所定位置（所定のピント（位置））に位置する。従って、作業者は、レンズ固定ベース１７の倍率基準位置１７１ａとレンズホルダ１５０の端部すなわち倍率調整面１５０ａとを、確実に隙間なく組み立てることができる。
【００２７】
レンズ固定部材１７０はまた、図２が示す、概ね中央を光軸が通り、固体撮像素子１３に入射すべき光の主要な部分すなわち画像光を固体撮像素子１３に入射する開口部１７０ｃにより、画像光とは異なる成分（開口部１７０ｃの外側に位置する光）すなわち迷光を遮蔽する。
【００２８】
位置調整部材１７１は、図２及び図３(ａ)が示す通り、レンズ固定部材１７０の主要部が延びる平面Ｓに対して非平行であり、調整ねじ１７２の締めつけ量を変化することで、平面Ｓとの間の矢印Ｄで示す傾きが変化する。従って、位置調整部材１７１の先端（非固定端）である倍率基準位置１７１ａが変位し、結像レンズ１５（レンズホルダ１５０）の光軸方向の変位（移動）を実現する。また、調整ねじ１７２は、例えばワッシャ（座金）等の併用により、締めつけ量に対する位置調整部材１７１の傾きを増大することが可能である。
【００２９】
図４は、結像レンズ１５（レンズホルダ１５０）をレンズバンド２０１で固定する方法である。図４が示す方法では、レンズホルダ１５０の固定及び（レンズホルダ１５０内の）結像レンズ１５の光軸方向位置の設定を一つの作業により固定できるが、画像読取装置１搭載時に、ミラー平面度の影響を受けることもあり、倍率とピント（位置）とがずれる倍率誤差を生じることがある。
【００３０】
上述の通り、実施形態を適用することにより、結像レンズを固定する際、光軸方向への押し付けカを、作業者の力量に頼らない、レンズ固定部材により光軸方向の所定の位置に押し付けることができる。よって、常に安定したカで、確実に、倍率基準位置に突き当てた状態に結像レンズを組み立てることができる。
【００３１】
また、倍率基準位置は、レンズの光軸方向の位置を変更可能であり、倍率とピントとを独立して調整可能である。従って、画像読取装置搭載時に、結像レンズの焦点位置が固体撮像素子の受光面に一致した（ピントが合った）状態で、倍率の調整を可能とする。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１…画像読取装置、１１…ハウジング、１２…テーブル部、１３…固体撮像素子、１４…照明ユニット、１５…結像レンズ、１６…画像処理回路部、１７…レンズ固定ベース、１７ａ…底面基準位置部、１７ｂ…固定ねじ、１５０…レンズホルダ、１５０ａ…レンズホルダ端部（倍率調整面）、１７０…レンズ固定部材、１７０ａ…レンズホルダ押さえ（Ａ方向）、１７０ｂ…レンズホルダ押さえ（Ｂ）方向、１７０ｃ…開口部、１７０ｄ…ストッパ、１７１…位置調整部材、１７１ａ…倍率基準位置。
【図１】
0005723865.tif 000002
【図２】
0005723865.tif 000003
【図３】
0005723865.tif 000004
【図４】
0005723865.tif 000005